(57)【要約】【課題】収納部内を換気し収納物の臭気を室内に放散することを抑制し、快適な住空間を提供することを目的とする。【解決手段】吸気口１７と排気口１８と捕集開閉手段２１ｂを有する捕集口２１と供給開閉手段２２ａを有する供給口２２と送風機２４と制御手段１８を備えた換気装置１４と、開閉自在な閉塞手段として扉体１３ｃを有する収納部１５を備え、吸気口１７と供給口２２、捕集口２１と送風機２４と排気口１８を、それぞれ風路を介して連通し、捕集口２１と供給口２２は収納部１５の内部に連通し、捕集開閉手段２１ａと供給開閉手段２２ａと送風機２４を制御手段２８で制御することにより、収納部１５内に新鮮な空気を供給するとともに、収納部１５内に滞留していた空気を外部に排出することができ、収納部１５内を清潔な状態に維持することができ、臭気が室内に放散されることも防止できるものである。【選択図】図３
2006075484.tif 000002
【特許請求の範囲】
【請求項１】
吸気口と排気口と捕集開閉手段を有する捕集口と供給開閉手段を有する供給口と送風機と制御手段を備えた換気装置と、開閉自在な閉塞手段を有する収納部を備え、吸気口と供給開閉手段を有する供給口を風路を介して連通し、捕集開閉手段を有する捕集口と送風機と排気口を風路を介して連通し、捕集口と供給口は収納部の内部に連通し、捕集開閉手段と供給開閉手段と送風機を制御手段で制御する構成の換気収納庫。
【請求項２】
捕集開閉手段を有する捕集口と送風機とを連通する風路に脱臭手段を備えた請求項１に記載の換気収納庫。
【請求項３】
吸気口と排気口と捕集開閉手段を有する捕集口と供給開閉手段を有する供給口と風路切替手段と送風機と脱臭手段と制御手段を備えた換気装置と、開閉自在な閉塞手段を有する収納部を備え、吸気口と捕集開閉手段を有する捕集口と供給開閉手段を有する供給口と送風機は風路を介して風路切替手段と連通し、排気口は風路を介して送風機と連通し、脱臭手段は送風機と風路切替手段を連通する風路に設置し、捕集口と供給口は収納部の内部に連通し、捕集開閉手段と供給開閉手段と風路切替手段と送風機を制御手段で制御する構成の換気収納庫。
【請求項４】
送風機の運転中は、風路切替手段を捕集口と吸気口に切り替えることにより、脱臭手段への気流を切り替える請求項３に記載の換気収納庫。
【請求項５】
収納部の閉塞手段の開閉を検知する開閉検知手段を備え、開閉検知手段の開成もしくは閉成の検知により、換気装置の運転を制御する請求項１〜４のいずれか１項に記載の換気収納庫。
【請求項６】
開閉検知手段の開成検知中は風路切替手段は捕集口を選択し、閉成検知中は捕集口と吸気口を選択自在に切り替えて運転をおこなう請求項５に記載の換気収納庫。
【請求項７】
送風機の停止中は、捕集開閉手段および供給開閉手段を閉塞する請求項１〜６のいずれか１項に記載の換気収納庫。
【請求項８】
供給口近傍に添加手段を備えた請求項１〜７のいずれか１項に記載の換気収納庫。
【請求項９】
送風機は送風量が可変可能である請求項１〜８のいずれか１項に記載の換気収納庫。
【請求項１０】
人体検知手段を備え、人体の近接もしくは離反を検知して換気装置の運転を制御する請求項１〜９のいずれか１項に記載の換気収納庫。
【請求項１１】
開閉自在な閉塞手段を有する収納部を複数配設し、全ての収納部の内部と換気装置の捕集口および供給口とを連通した請求項１〜１０のいずれか１項に記載の換気収納庫。
【請求項１２】
捕集口、供給口、ダクト部材は、接続開放自在な連結機構を有し、連結された状態では開放し、未連結の状態では閉塞する構成の端末封止具を備えた請求項１１に記載の換気収納庫。
【請求項１３】
収納部には、出し入れ格納自在な収納容器と収納容器に対して閉塞開閉自在な蓋部材を備
えた請求項１〜１２のいずれか１項に記載の換気収納庫。
【請求項１４】
換気装置を、収納部の足元蹴込み部位もしくは上方の天井近傍部位に配設した構成の請求項１〜１３のいずれか１項に記載の換気収納庫。
【請求項１５】
収納部の閉塞手段の前面側に備えた扉体は、隣接する他の収納部の前面扉体と高さもしくは幅寸法が同一で意匠統一された構成の請求項１１〜１４のいずれか１項に記載の換気収納庫。
【発明の詳細な説明】
【技術分野】
【０００１】
本発明はキッチン等で使用する家具収納庫内の空気を、排出換気する装置に関するものである。
【背景技術】
【０００２】
従来、この種の収納庫は、収納物から発生する臭気を送風装置で吸引し戸外に排出している（例えば、特開文献１参照）。
【０００３】
図９は、特開文献１に記載された従来の脱臭装置を示すものである。
【０００４】
図に示すように、キャビネット１の内の抽斗台２上に載置されたごみ収納容器３と、戸外に連通するダクト４に接続した排気ファン５から構成されている。
【特許文献１】特開２０００−２１０１４２号公報
【発明の開示】
【発明が解決しようとする課題】
【０００５】
しかしながら、前記従来の構成では、臭気は排気ファンとダクトで戸外に排出する構成なので、必ず戸外に連通するダクトを設置する必要があり、設置場所が制限されるという課題を有しており、しかも、ごみ収納容量が不足する場合に何等の解決方法も提供しないものであった。
【０００６】
また、収納部が引き出し式に構成されていることについて、収納部の引き出し時と格納時の空気通路の構成が複雑になる課題を有していた。
【０００７】
本発明は、前記従来の課題を解決するもので、設置場所の制約を受けずに、臭気を発生するごみ等の収納場所を効果的に脱臭し、あるいは収納物の鮮度を維持しつつ保管し、快適な住空間を実現する使い勝手が良く、収納容量あるいは収納物の種類に応じて収納部を選択自在に増やすことの出来る収納庫を提供することを目的とする。
【課題を解決するための手段】
【０００８】
前記従来の課題を解決するために、本発明の換気収納庫は、吸気口と排気口と捕集開閉手段を有する捕集口と供給開閉手段を有する供給口と送風機と制御手段を備えた換気装置と、開閉自在な閉塞手段を有する収納部を備え、吸気口と供給開閉手段を有する供給口を風路を介して連通し、捕集開閉手段を有する捕集口と送風機と排気口を風路を介して連通し、捕集口と供給口は収納部の内部に連通し、捕集開閉手段と供給開閉手段と送風機を制御手段で制御する構成としたものである。
【０００９】
これによって、送風機を運転することにより、収納部内に新鮮な空気を供給するとともに、収納部内に滞留していた空気を外部に排出することができ、収納部内を常に清潔な状態に維持することができ、しかも送風機の停止中は捕集開閉手段と供給開閉手段を閉塞することにより、収納部を密閉することができるため、収納部内に異物や害虫の浸入を防止することを防止することができるとともに、収納部内の臭気が室内に放散されることも防止できるものである。
【発明の効果】
【００１０】
本発明の換気収納庫は、収納部内を清潔な状態で維持できるとともに、収納部内の臭気が室内に放散されることを防止することができる。
【発明を実施するための最良の形態】
【００１１】
第１の発明は、吸気口と排気口と捕集開閉手段を有する捕集口と供給開閉手段を有する供給口と送風機と制御手段を備えた換気装置と、開閉自在な閉塞手段を有する収納部を備え、吸気口と供給開閉手段を有する供給口を風路を介して連通し、捕集開閉手段を有する捕集口と送風機と排気口を風路を介して連通し、捕集口と供給口は収納部の内部に連通し、捕集開閉手段と供給開閉手段と送風機を制御手段で制御する構成とすることにより、送風機を運転することで、収納部内に新鮮な空気を供給するとともに、収納部内に滞留していた空気を外部に排出することができ、収納部内を常に清潔な状態に維持することができ、しかも送風機の停止中は捕集開閉手段と供給開閉手段を閉塞することにより、収納部を密閉することができるため、収納部内に異物や害虫の浸入を防止することを防止することができるとともに、収納部内の臭気が室内に放散されることも防止できるものである。
【００１２】
第２の発明は、特に、第１の発明の捕集開閉手段を有する捕集口と送風機とを連通する風路に脱臭手段を備えたことにより、収納部内の収納物から発生する臭気を減じて室内に放出することが可能となり、換気収納庫の設置場所に制約を受けることなく、臭気の強い収納物の保管に利便性を提供できる。
【００１３】
第３の発明は、吸気口と排気口と捕集開閉手段を有する捕集口と供給開閉手段を有する供給口と風路切替手段と送風機と脱臭手段と制御手段を備えた換気装置と、開閉自在な閉塞手段を有する収納部を備え、吸気口と捕集開閉手段を有する捕集口と供給開閉手段を有する供給口と送風機は風路を介して風路切替手段と連通し、排気口は風路を介して送風機と連通し、脱臭手段は送風機と風路切替手段を連通する風路に設置し、捕集口と供給口は収納部の内部に連通し、捕集開閉手段と供給開閉手段と風路切替手段と送風機を制御手段で制御する構成のとすることにより、収納部内への空気の入口、出口ともに密閉手段を有しながら、収納部内に新鮮空気の空気流を形成することができ、収納部内の収納物から発生する臭気を減じて室内に放出することが可能となり、換気収納庫の設置場所に制約を受けることなく、臭気の強い収納物の保管に利便性を提供できる。
【００１４】
第４の発明は、特に、第３の発明の送風機の運転中は、風路切替手段を捕集口と吸気口に切り替えることにより、脱臭手段への気流を切り替える構成としたことにより、脱臭手段に吸気口より導入した新鮮空気を供給することで再活性化させることが可能となり、長期間に亘り脱臭手段の効果を持続することができる。
【００１５】
第５の発明は、特に、第１〜４のいずれか１つの発明の収納部の開閉を検知する開閉検知手段を備え、開閉検知手段の開成もしくは閉成の検知により、換気装置の運転を制御することにより、収納部が開成状態では、換気装置を連続的に高風量で運転し、収納部が閉成中は、間欠的に低風量で運転することができ、収納物がごみ等では、ごみ捨て作業をおこなう時は、換気装置は連続的に運転されるため臭気を感じることを抑制でき快適性が向上し、収納部が閉成状態においては、換気装置は間欠運転されるため、電気代の削減、静音化あるいは送風装置の耐久性を延ばすことができ、使い勝手と経済性と耐久性を確保することができる。
【００１６】
第６の発明は、特に、第５の発明の開閉検知手段の開成検知中は風路切替手段は捕集口を選択し、閉成検知中は捕集口と吸気口を選択自在に切り替えて運転をおこなうことにより、収納部内の脱臭と室内への臭気の放散の抑制を効果的に実現することができる。
【００１７】
第７の発明は、特に、第１〜６のいずれか１つの発明の送風機の停止中は、捕集開閉手段および供給開閉手段を閉塞することにより、収納部内からの臭気は捕集開閉手段と供給開閉手段で室内への放散を遮断できるため、快適な室内環境を提供することができる。
【００１８】
第８の発明は、特に、第１〜７のいずれか１つの発明の供給口近傍に添加手段を備えたことにより、例えば食品の腐敗劣化を抑制する物質や芳香剤を添加した空気を収納部に供給して密閉することが可能となり、収納物の鮮度保持や臭気のコントロールを効果的に実施できる。
【００１９】
第９の発明は、特に、第１〜８のいずれか１つの発明の送風機の送風量が可変可能としたことにより、換気装置の使用設置状態、換気の強弱、脱臭手段の活性化等の状況に合わせて最適な送風量を設定することにより、効果的な換気量が選択でき、換気装置の電気代の節約、あるいは運転騒音の低減に効果を奏するものである。
【００２０】
第１０の発明は、特に、第１〜９のいずれか１つの発明の換気収納庫に人体検知手段を備え、人体の近接もしくは離反を検知して換気装置の運転を制御することにより、換気装置に人が近づき作業を開始する前に、換気装置は運転を開始しているため、収納物がごみ等の場合、臭気の多くは除去されているため、作業者は快適に作業をすることができる。また、人が不在である状態を検知して、換気装置の運転状態を自在に設定することも可能となり、より効率的な換気運転が実現できる。
【００２１】
第１１の発明は、特に第１〜１０のいずれか１つの発明の、開閉自在な閉塞手段を有する収納部を複数配設し、全ての収納部の内部と換気装置の捕集口および供給口とを連通したことにより、単一の換気装置で複数の収納部を備えた換気収納庫を形成することができるため、大量あるいは多種の収納物を分別して収納保管し効率的に換気することが可能となり、快適で使い勝手の良い換気収納庫が提供できる。
【００２２】
第１２の発明は、特に、第１１の発明の捕集口、供給口、連通箇所には接続開放自在な連結機構を有し、連結された状態では開放し、未連結の状態では閉塞する構成とすることにより、同一種類の収納部を並列設置するのみで、収納部の数の制限なくあるいは、換気装置に対して左右いずれの位置にも換気収納庫が構成でき、少ない種類の部材で、より汎用性の高い換気収納庫が構築できる。
【００２３】
第１３の発明は、特に、第１〜１２のいずれか１つの発明の収納部に、出し入れ格納自在な収納容器と収納容器に対して閉塞開閉自在な蓋部材を備えることにより、収納部から発生する臭気の強弱により、収納容器の蓋有り無しが選択可能であり、例えば臭気の強い収納容器は蓋付きとし、臭気の弱い収納容器は開放型とするなど、種々の使用用途を同時に満足させる換気収納庫システムが提供できる。
【００２４】
第１４の発明は、特に、第１〜１３のいずれか１つの発明の換気装置を、収納部の足元蹴込み部位もしくは上方の天井近傍部位に配設することにより、換気収納庫の構成部位の内、床面に近い蹴込み位置もしくは上方の天井近傍部位については、物品の収納取り出し作業性、使い勝手に劣る位置であるため、この位置を利用して換気装置を備え、使い勝手の良い位置を収納部として活用することができる。
【００２５】
第１５の発明は、特に、第１１〜１４のいずれか１つの発明の収納部の閉塞手段の前面側に備えた扉体は、隣接する他の収納部の前面扉体と高さもしくは幅寸法が同一で意匠統一された構成とすることにより、複数の収納部が並列された場合、収納部および換気装置部の前面意匠が、他の一般の収納庫と寸法的にデザインが整合され、インテリア性に富んだ換気収納庫システムが提供できると共に、扉体の寸法が同一であれば、これを備えた収納庫の基本構造を各収納庫とも統一標準化することが可能であり、生産性が向上し好適である。
【００２６】
以下、本発明の実施の形態について、図面を参照しながら説明する。なお、この実施の形態によって本発明が限定されるものではない。
【００２７】
（実施の形態１）
図１は本発明の実施の形態１における換気収納庫の正面概略図、図２は本実施の形態における換気装置および収納部の縦断面図、図３は本実施の形態における換気装置および収納部の要部水平断面図、図４は収納部同士の空気接続手段の全体外観図、図５は前記空気接続手段の要部分解斜視図である。
【００２８】
図において、システムキッチン１１にあって、カウンタ−１１ａ下には、本発明の換気収納庫１２が、通常の収納庫としての４段抽斗収納庫１１ｂと一般収納庫１１ｃに挟まれて、２個の独立したキャビネット１３に組み込んだ換気装置１４と、これと空気連通された換気機能を有する２個の収納部１５により構成され、通常の収納庫１１ｂ、１１ｃと共に床面１１ｄおよび後壁面１１ｅに設置固定されている。
【００２９】
第１のキャビネット１３ａは、カウンタ−１１ａの直下に換気装置１４、その下方に第１の収納部１５ａを配置し、この収納部１５ａの前面側に配した扉体１３ｃ、換気装置１４と収納部１５ａを空気離隔する仕切板１３ｄ、左右の側板１３ｅ、底板１３ｆ、後板１３ｇとによって立方空間を区画形成して構成されている。
【００３０】
換気機能を備えた第１の収納部１５ａは、前面の扉体１３ｃと、これを固定して前面側に引き出し開閉自在になる抽斗台１３ｈおよび抽斗台後板１３ｉを備え、この抽斗台１３ｈには、上部に開口を有し側部が多孔開口した籠状の収納容器１５ｃを着脱自在に組み込んで、収納部１５ａを開閉自在に閉塞可能としている。
【００３１】
第２のキャビネット１３ｂについては、第１のキャビネット１３ａと同じく、換気機能を備えた第２の収納部１５ｂの前面側に配した扉体１３ｃ、左右の側板１３ｅ、底板１３ｆ、後板１３ｇによって立方空間を区画形成して構成されている。
【００３２】
また、第２の収納部１５ｂは、第１の収納部１５ａと同じく、扉体１３ｃ、抽斗台１３ｈ、抽斗台後板１３ｉで構成し、さらに上部に開口を有し函体に形成されたバケツ状の収納容器１５ｄと、この収納容器１５ｄの上部開口に対して取り外し自在に嵌着する蓋部材１６を一体的に備えて、前記抽斗台１３ｈに着脱自在に組み込んで、収納部１５ｂを開閉自在に閉塞可能としている。
【００３３】
前記の蓋部材１６は、収納容器１５ｃの上面開口を覆う枠体１６ａと跳ね上げ開閉自在になる蓋１６ｂにより構成し、収納物と収納部１５ｂの離隔密閉度を高めている。
【００３４】
一方、第２の収納部１５ｂの上方は、仕切板１３ｊで離隔し、カウンタ−１１ａの下方との間の空間に、扉体１３ｃと略同一面かつ略同一幅Ｗをなし、４段抽斗収納庫１１ｂの最上段の抽斗前板１１ｆと同一高さＨ１をなす抽斗前板１３ｋを有した前面側に引き出し自在になる抽斗１３ｍを備えて、換気機能のない通常の第３の収納部１３ｎを構成している。
【００３５】
換気装置１４については、この前面側には、収納部１５ａの前面扉体１３ｃと略同一面かつ幅寸法Ｗを略同一にし、また換気装置１４に隣接する通常の４段抽斗収納庫１１ｂの抽斗前板１１ｆ、あるいは前記第３の収納部１３ｎの抽斗前板１３ｋの高さ寸法Ｈ１と略同一になる操作パネル１４ａが装着され、この操作パネル１４ａには、換気装置１４の内外と空気連通して前面に開放した吸気口１７と排気口１８、運転スイッチ１９、赤外線による反射受発光を用いた人体検知手段２０を備えている。
【００３６】
換気装置１４の内部後方の底面には、仕切板１３ｄを貫通して下方の収納部１５ａに向けて開放され空気連通する捕集口２１と、供給口２２を各々配置すると共に、吸気口１７を含む吸気区画１７ａと排気口を含む排気区画１８ａ、捕集口２１を含む捕集区画２１ａと供給口２２を含む供給区画２２ａの４区画の風路を略放射状に配して、この放射状配列の中心に、捕集開閉手段２１ｂと供給開閉手段２２ｂと風路切替手段２３を一体に構成する回動式弁体２３ａおよびステッピングモ−タ２３ｂを配置している。
【００３７】
回動式弁体２３ａは、回転軸とこの回転軸の両翼に延出される板体により構成され、回転軸に係止嵌着されたステッピングモ−タ２３ｂにより所定回転角を回動動作し、前記４区画の境界壁のいずれかに当接することにより、４区画の風路の内、選択された２区画同士を空間連通する形態となり捕集口２１あるいは供給口２２の開閉と、排気口１８に対する吸気口１７もしくは捕集口２１の風路切替をおこなっている。
【００３８】
また、排気区画１８ａの風路途中には、排気口１８の上流側に遠心式ファンとモ−タになる送風機２４を配置し、前記風路切替手段２３との間、言いかえると捕集口２１と送風機２４との連通風路に、空気濾過による化学、物理的吸着方式の脱臭手段２５を配置している。
【００３９】
さらに、収納物の調質媒体の添加手段２６として、窒素ガスの充填もしくは生成部２６ａと、前記ガスを電気的に制御して微量放出する調圧開閉ノズル２６ｂから構成して、供給口２２の手前に備え、窒素ガスを供給区画２２ａ内に散布可能にしている。
【００４０】
次に、収納部１５ａあるいは１５ｂの出し入れ格納時に、この開閉を検知する開閉検知手段２７は、収納部１５ａと１５ｂのそれぞれ後方にあって、キャビネット１３ａ、１３ｂのそれぞれの後板１３ｇに備えた磁気スイッチ２７ａと、抽斗台１３ｈの抽斗台後板１３ｉに嵌着具備した磁石２７ｂによって構成され、収納部１５ａあるいは１５ｂが格納中は、磁気スイッチ２７ａと磁石２７ｂは、少許の空隙を有して対向位置になり電気的接点を閉となるように構成配置されている。
【００４１】
また、運転スイッチ１９、人体検出手段２０、風路切替手段２３、送風機２４、調質媒体の添加手段２６および２つの収納部１５ａおよび１５ｂからの開閉検知手段２７は、換気装置１４に組み込まれた制御手段２８に電気的に接続されている。
【００４２】
次に、２つの収納部１５ａと１５ｂを接続する空気接続手段について説明すると、まず第１のキャビネット１３ａについては、換気装置１４の後方底面に設けられた捕集口２１および供給口２２がそれぞれ仕切板１３ｄを貫通し、その直下にある収納部１５ａに向けて空気開口を有する排出開口部材２９と給気開口部材３０と空気連通されて、仕切板１３ｄに一対取り付けられている。
【００４３】
排出開口部材２９は、左右方向両端が開放された略管状に形成され、外面の一部が収納部１５ａに相対する排出開口２９ａを有し、この排出開口２９ａと対向位置は、前記の換気装置１４の捕集口２１と空気連通する上方開口２９ｂが設けてある。
【００４４】
また、管の軸芯方向の左右開放端の一方は、テ−パ−管形状に形成されたオス接続部２９ｃとし、反対側は直管形状をそのまま保つメス接続部２９ｄとしている。
【００４５】
一方、給気開口部材３０は、排出開口部材２９と類似の略管状構造をなし、収納部１５ｂに向けて開放した給気開口３０ａと、これと対向位置に換気装置１４の供給口２２と空気連通する上方開口３０ｂと、左右方向の開放端として排出開口部材２９のオス接続部２９ｃあるいはメス接続部２９ｄと同一の形状で一体的に構成し、さらに管の軸方向略中央に、収納部１５ａの引き出し格納動作に連動し、換気装置１４からの外気の供給を開閉遮断する風路遮断手段３１を一体的に構成している。
【００４６】
風路遮断手段３１は、給気開口３０ａ、上方開口３０ｂ、左右両開放端のオス接続部２９ｃおよびメス接続部２９ｄと空気連通する内部が空洞の略立方形の弁ケ−ス部３１ａに、平板状の弁体３１ｂが水平方向の弁体軸３１ｃにて軸支され、この弁体軸３１ｃを回転中心として弁体３１ｂに対して所定角度をなす位置には、レバ−部３１ｄが弁体３１ｂと一体的に形成されて、弁体３１ｂとレバ−部３１ｄは同体で、弁体軸３１ｃ周りに自在に回動動作し、この動作の一端側の位置で、弁体３１ｂは、弁ケ−ス３１ａの下方側の空気開口すなわち給気開口３０ａを閉塞する。
【００４７】
また、第２のキャビネット１３ｂについては、第１のキャビネット１３ａと同じ排出開口部材２９と給気開口部材３０が一対、仕切板１３ｊに取り付けられ、排出開口２９ａと給気開口３０ａが収納部１５ｂに向けて開放されている。
【００４８】
ただし、排出開口部材２９と給気開口部材３０を取り付けている仕切板１３ｊについては、前述の様に第１のキャビネット１３ａの仕切板１３ｄに設けた換気装置１４の捕集口２１、供給口２２用の貫通孔がなく平板状としており、排出開口部材２９の上方開口２９ｂ、給気開口部材３０の上方開口３０ｂは、必然的に仕切板１３ｊにより閉塞されている。
【００４９】
一方、ダクト部材３２は、一端外面がテ−パ−管形状３２ａ、他方の内面が直管形状３２ｂのパイプ状に形成され、第１、第２のキャビネット１３ａおよび１３ｂ同士が隣接する側板１３ｅを貫通して２本一対配置され、第１、第２のキャビネット１３ａおよび１３ｂに設けた排出開口部材２９と給気開口部材３０同士を、それぞれオス接続部２９ｃとメス接続部２９ｄに挿入接続係合することで、収納部１５ａと１５ｂを空気連通する接続開放自在な連結構造を有したダクト管路として形成している。
【００５０】
さらに、端末封止具３３は、一方端側が排出開口部材２９あるいは給気開口部材３０のオス接続部２９ｃを挿入接続可能な凹嵌部と、他方端側はメス接続部２９ｄに挿入可能凸形状の栓形状をなすゴム等の弾性材質で成型され、ダクト部材３２と排出開口部材２９および給気開口部材３０を所定接続した状態での残りの開放端に装着され、ダクト管路の端末を封止している。
【００５１】
以上のように構成された換気装置１４および収納部１５について、以下その動作、作用を説明する。
【００５２】
まず、第１、第２のキャビネット１３ａ、１３ｂの収納部１５ａ、１５ｂの抽斗台１３ｈに収納容器１５ｃおよび１５ｄを装着し、食品、ごみ等を収納し収納部１５ａ、１５ｂを格納閉成動作させると、抽斗台後板１３ｉの上端部は、給気開口部材３０に設けた風路遮断手段３１のレバ−部３１ｄを、徐々に後方に押しやることになり、この時、弁体３１ｂが水平状態から上方の図示（ア）位置に跳ね上り動作し、給気開口３０ａを開成状態とする。
【００５３】
一方、収納部１５ａまたは１５ｂが前面側に引き出され開成状態にある場合は、前記の弁体３１ｂは水平状態であり、弁体３１ｂと弁ケ−ス３１ａの底部が当接し、給気開口３０ａは閉成状態を持続する。
【００５４】
また、収納部１５ａと１５ｂが共に格納閉成状態では、開閉検知手段２７の磁気スイッチ２７ａと磁石２７ｂは、所定の少許空隙を有して対向位置に近接するので、開閉検知手段２７は、収納部１５ａと１５ｂを共に閉成として認識し、制御手段２８に信号を伝達する。
【００５５】
収納部１５ａ、１５ｂが共に閉成状態で、運転スイッチ１９にて換気装置１４を運転させると、制御手段２８により風路切替手段２３のステッピングモ−タ２３ｂの回転動作により回動式弁体２３ａが回動した後に図示（イ）位置で定位し、捕集区画２１ａと供給区画２２ａ、吸気区画１７ａと排気区画１８ａは回動式弁体２３ａで離隔され、すなわち捕集区画２１ａと排気区画１８ａ、吸気区画１７ａと供給区画２２ａがそれぞれ空間連通する風路が形成されて、送風機２４が運転する通常換気モ−ドとなる。
【００５６】
第１、第２の収納部１５ａ、１５ｂに滞留する臭気を含んだ空気は、各図の矢印（Ｆ）に示すように、それぞれの排出開口部材２９の排出開口２９ａから吸引され、第２の収納部１５ｂからの臭気空気は、ダクト部材３２を経由し、第１の収納部１５ａの臭気空気と合流し、換気装置１４の捕集口２１から風路切替手段２３を経て、脱臭手段２５で濾過脱臭され、臭気成分を減じて送風機２４を通過して排気口１８から室内へ放散される。
【００５７】
一方、収納部１５ａと１５ｂから排出された臭気空気の相当量の新鮮空気は、換気装置１４の吸気口１７より吸引され、吸気区画１７ａから風路切替手段２３を経て、供給区画２２ａに至り、給気口２２から、風路遮断手段３１の弁体３１ｂが開成状態にある給気開口部材３０の給気開口３０ａを経て、その下方に位置する第１の収納部１５ａに向けて放出される。
【００５８】
また第２の収納部１５ｂに対しても、ダクト部材３２を経由して、第１の収納部１５ｂと同様に新鮮空気が送気される。
【００５９】
さらに、以上の通常換気モ−ド中に、換気装置１４の調質媒体の添加手段２６を動作させる添加モ−ドとして、例えば窒素ガスを供給区画２２ａに定量放出し、吸気口１７からの新鮮空気と混合することにより、酸素濃度を低減した空気を収納部１５ａと１５ｂ内に放出充填させる。
【００６０】
これにより、食品等の酸化腐敗が抑制され、食品収納庫としては、食品臭の室内拡散を脱臭するとともに、食品の劣化防止も同時に行なえ、利便性の高いものとなる。
【００６１】
また、本実施の形態は、給気開口部材３０とダクト部材３２を収納部１５ａ、１５ｂの両方に接続しており、これにより調質媒体が、２つの収納部１５に確実に添加することが可能になっている。
【００６２】
なお、この添加モ−ド中は、送風機２４の送風量を、通常換気モ−ドでの送風量よりも低能力として、換気収納庫１２外への調質媒体の放出ロスを少なく運転することも可能である。
【００６３】
上記の運転が一定時間経過した後は、制御手段２８により風路切替手段２３は、捕集区画２１ａと供給区画２２ａを連通し、かつ吸気区画１７ａと排気区画１８ａを連通するように、つまり捕集口２１および供給口２２を外気から閉塞遮断し、脱臭手段２５を吸気口１７を通じて外気に開放する状態になるように、ステッピングモ−タ２３ｂの回転動作により回動式弁体２３ａが回動し図示（ウ）位置で定位する。
【００６４】
この状態で送風機２４の運転を継続し、吸気口１７から導入された新鮮空気が、吸気区画１７ａから風路切替手段２３を通過し、直接排気区画１８ａに導入され、脱臭手段２５に供給されることで、脱臭手段２５の活性化を行う、活性化モ−ド運転をおこなう。
【００６５】
前記活性化モ−ドは、さらに一定時間継続した後、送風機２４のみが停止する。
【００６６】
つまり、送風機２４の停止時は、脱臭手段２５に対して、風路切替手段２３が吸気口１７を選択し外気に開放する状態で、捕集口２１と供給口２２言いかえると収納部１５を閉塞した状態となり、送風機２４の運転中は、風路切替手段２３が捕集口２１を選択し収納物の臭気を脱臭する通常換気モ−ドあるいは風路切替手段２３が吸気口１７を選択し脱臭手段２５の外気による活性化モ−ドのいずれかになる。
【００６７】
送風機２４が一定時間停止した後は、上記の通常換気モ−ドに戻ることで、換気装置１４は一定間隔で間欠運転を継続する。
【００６８】
一方、調質媒体の添加手段２６の動作は、通常換気モ−ド中の任意の時間設定でおこない、例えば、通常換気モ−ドの終了直前に一定時間おこなえば、調質媒体を２つの収納部１５に放出充満させた後、各収納部１５への送風が遮断され、収納部１５を閉塞していることで、調質媒体が密封され、より経済的に鮮度維持効果をあげることができる。
【００６９】
ここで、上記の通常換気モ−ド、添加モ−ド、活性化モ−ドあるいは停止モ−ドのいずれかの運転中に、換気装置１４の前方に人が近づくと、人体検知手段２０より発せられる赤外線が人体に反射したことを検知した信号により、制御手段２８は風路切替手段２３を、通常換気モ−ドと同じ図示（イ）位置に回動式弁体２３ａを回動定位させ、さらに送風機２４を通常換気モ−ドよりも高能力で一定時間連続運転する人体検知モ−ドとなる。
【００７０】
これにより、人体検知がおこなわれること、つまり使用者が２つの収納部１５のいずれかを引き出し、食品、ごみ等の取り出し作業に入ることを予測し、可能な限り早い段階で、収納部１５内の臭気空気を通常よりも高速で脱臭して室内に放出することができ、また前記に引き続いて生じる収納部１５の開成中に上方近傍に滞留する臭気空気の吸引量も高くなるので、収納物の出し入れ作業中は、収納部１５からの臭気拡散が低減され快適性が向上する。
【００７１】
上記の人体検知モ−ドは一定時間経過の後、制御手段２８により、再び通常換気モ−ドに自動的に復帰する。
【００７２】
また、人体検知手段２０が、一定時間内に人体を検知しない状態が継続する場合には、送風機２４を運転停止させる間欠間隔を長く設定するように制御手段２８を構成することも可能であり、例えば夜間や不在時などは、ごみの出し入れ作業が行われないので、電気代あるいは運転音を逓減する効果を附加することができ、より好適である。
【００７３】
さらに、人体検知手段を第１、第２のキャビネット１３ａ、１３ｂそれぞれに備え、換気装置１４の制御手段２８と接続することも可能である。
【００７４】
この場合、第１のキャビネット１３ａを配列端部とし、第２のキャビネット１３ｂが複数並列に配置される収納庫配置プランにあっては、第１のキャビネット１３ａと反対側の第２のキャビネット１３ｂの終端側から接近する作業者に対しても、より早く的確に前記の人体検知モ−ドを動作させることが可能となり、特に第１、第２のキャビネット１３ａ、１３ｂが３台以上配置される場合等にあっては、より快適性の高い換気収納庫が提供できる。
【００７５】
次に、第１もしくは第２のいずれかの収納部１５ａ、１５ｂが開成状態になった場合は、開閉検知手段２７の磁気スイッチ２７ａと磁石２７ｂの相対距離が大きくなり、開閉検知手段２７は収納部１５を開成として認識し、制御手段２８に信号を伝達する。
【００７６】
この時、制御手段２８は風路切替手段２３を、通常換気モ−ドと同じ図示（イ）位置に回動式弁体２３ａを回動定位させ、さらに送風機２４を通常換気モ−ドよりも高能力で一定時間連続運転し、さらに収納部１５ａもしくは１５ｂの開成が継続する場合は、送風機２４を停止させ、風路切替手段２３は、図示（ウ）位置に定位し、換気装置１４の運転を停止させる収納部開放モ−ドとなる。
【００７７】
同時に、換気装置１４の運転終了時点の前後で、ブザ−等の鳴動によって、収納部１５の開放持続を使用者に報知することも可能である。
【００７８】
これにより、使用者が収納部１５ａあるいは１５ｂを引き出し、食品、ごみ等の取り出し作業を行なっている間、収納部１５ａもしくは１５ｂ周辺に滞留する臭気空気を通常よりも高速で吸引し、脱臭して室内に放出することができ、収納物の出し入れ作業中は、収納部１５ａもしくは１５ｂからの臭気拡散が低減され快適性が向上し、また、収納部１５ａあるいは１５ｂの開放報知により、収納部１５の閉め忘れすなわち臭気の漏れを回避する等の換気収納庫の利便性をより一層向上させることができる。
【００７９】
また、送風機２４は一定時間後に自動的に停止するので、収納部１５が開放されていることに対して、送風機２４の運転を無駄に継続することなく、電気代の節約につながる。
【００８０】
また、換気装置１４の制御手段２８に接続される開閉検知手段２７の数量を認識することで、通常換気モ−ド、添加モ−ド、人体検知モ−ド、収納部開放モ−ドにおける送風機２４の風量を可変させることもでき、収納部１５の多寡により換気量の大小を自動的に選択することが可能である。
【００８１】
さらに、収納部１５ａもしくは１５ｂが開成状態にあっては、風路遮断手段３１により、レバ−部３１ｄは収納部１５の前面側に移動し、弁体３１ｄは弁体軸３１ｃ周りに水平位置まで回動し、給気開口３０ａを閉塞する。
【００８２】
仮に、収納部１５ａもしくは１５ｂが前面側に引き出された状態で、給気開口３０ａが開放され、換気装置１４からの給気が継続すると、給気空気は収納部１５の前面側に押し出されることになり、収納物の出し入れ作業時に、使用者は収納容器１５ｃ、１５ｄから発生する臭気を余分に感じる弊害を生じてしまう障害がおこる。
【００８３】
これを回避する目的で、前記の収納部開放モ−ドと併せて、収納部１５への給気を遮断し、収納部１５からの排出量を大きくすることで、臭気を感じることを低減させて、より使い勝手に優れた換気収納庫を提供できるものである。
【００８４】
本実施の形態においては、通常の低風量間欠運転の通常換気モ−ド、人体検知した場合の高風量連続運転の人体検知モード、あるいは収納部開放モ−ドを設けることにより、ごみの出し入れ作業中は臭気を感じないで快適に作業することができ、通常の設置状態では臭気が室内へ拡散することを継続的に防止することができ、しかも、換気装置を長期間に亘り連続して使用するために、通常では送風機を間欠運転することにより、電気代の削減ができ、また換気装置の耐久性も延ばすことができる。
【００８５】
さらに、脱臭手段の活性化を外気空気によって自動的に実施する活性化モ−ドにより、長期間に亘り脱臭手段の能力を維持することができ、またそのための手間も省ける。
【００８６】
なお、本実施の形態においては、脱臭手段を活性化するための活性化モ−ドを、通常換気モード毎に実施しているが、脱臭手段の性能や使用時間、また臭気の度合等にあわせて回数を変化させたり、通常換気モードでは実施せずに一定の運転時間が経過した後に専用の運転モードで実施することでも、同様な効果を発揮することができる。
【００８７】
なお、本実施の形態においては、脱臭手段を化学もしくは物理的吸着による空気濾過方式とし、これに新鮮空気を附加することで活性化を行なう方式としたが、触媒により吸着分子を化学分解するとともに触媒を高温加熱あるいは紫外線等の光により再活性化する方式とすれば、空気通路の切り替えが不要となり、換気装置の捕集開閉手段あるいは供給開閉手段は、空気流動による空気圧を利用した開閉弁とすることで、本実施の形態になる風路切替手段に替えて、換気装置は簡素化して構成可能であり、より好適である。
【００８８】
さらに、収納物の腐敗を抑制不活性化する添加手段により、収納物の保管がより長期に亘っておこなえ、この点においても、換気収納庫の利便性は優れたものとなる。
【００８９】
本実施の形態では脱臭手段２５と調質媒体の添加手段２６を共に備えているが、いずれか一方、もしくはいずれもがないものとして、単なる送風機能のみの換気装置としても、収納物品によっては何等の支障もない。
【００９０】
また、第１、第２のキャビネット１３ａ、１３ｂの構造は、換気装置１４と第３の収納部１３ｎ、収納容器１５ｃと１５ｄと蓋部材１６、仕切板１３ｄと１３ｊの相異のみで、他の部材については共通であるので、生産性が高く、コストダウンに効奏するものである。
【００９１】
また、本実施の形態では、第２のキャビネット１３ｂを第１のキャビネット１３ａの左側に１個設置したが、第１のキャビネット１３ａの左右方向を問わず、複数個並列設置する場合でも、本実施の形態に示すダクト部材３２と端末封止具３３の一対のみを必要数量増設するだけでよく、部材の共用化、設置作業性の簡略化に効果は大なるものであり、ごみ等の収納物で分別廃棄可能な種類毎に収納部の個数を設定することが可能であり、収納個の配置プランに制約を受けることなく換気収納庫として利便性は高いものとなる。
【００９２】
また、本実施の形態のように換気装置１４下方の収納部１５ａと、その左もしくは右あるいは左右両方に収納部１５ｂが１個配設される場合は、捕集口２１もしくは供給口２２いずれかに接続して用いたダクト部材３２を省略してもよく、隣接する第１、第２のキャビネット１３ａ、１３ｂの側板１３ｅ同士を貫通した開口を一つ設け、この開口から隣接収納部１５内の空気を直接吸引もしくは供給する構成とすることができ、換気収納庫全体のコストダウンや設置工事の簡略効果が提供できる。
【００９３】
加えて、本実施の形態では、第１の収納部１５ａの収納容器１５ｃを籠状の開放型とし、第２の収納部１５ｂの収納容器１５ｄを蓋部材１６付きの密閉型としており、調質媒体の添加散布は、収納容器１５ｃに対して特に有効であり、また収納容器１５ｄは密閉型であるので、より臭気の強い食品等の保管に適しており、２種類の収納部１５ｃ、１５ｄで、様々な種類の収納物を最適に収納保管できる。
【００９４】
また、第１の、第２のキャビネット１３ａ、１３ｂの収納部１５ａ、１５ｂの前面扉体１３ｃの高さ寸法Ｈ２は、いずれも換気収納庫１２に隣接する一般の収納庫１１ｂあるいは１１ｃの前面の扉体の組み合わせ寸法と略同一に整合されており、結果的に、換気収納庫１４に備えた前面パネル１４ａと第３の収納部１３ｎの抽斗前板１３ｋの高さ寸法Ｈ１は、換気収納庫１２に隣接する４段抽斗収納庫１１ｂの最上段の抽斗前板１１ｆと略同一に整合され、かつ外観的にも意匠統一されており、インテリア性に富む収納庫システムが提供され、また製品の部材の生産標準化が図られており、生産性が向上し好適である。
【００９５】
なお、本実施の形態では、換気装置１４の左方は、換気機能のない第３の収納部１３ｎとして独立区画としたが、この下方の換気機能付きの収納部１５ｂと空間一体化することに何等の支障はなく、収納部１５ｂの排出開口部材２９、給気開口部材３０、ダクト部材３２を固定支持する構成を図示以外に拠るものとすれば、より一層、収納部１５全体の容積が増大し、さらに好適であることは述べるまでもない。
【００９６】
また、添加手段２６は、本実施の形態では、食品等の腐敗を抑制する窒素ガスを添加するものとしたが、この他に、害虫忌避剤、取り入れ外気の湿度を減じる除湿剤、制菌効果を有する電荷イオン分子添加手段、あるいは、脱臭効果をさらに高めるオゾン発生装置等、気中添加可能な媒体であれば、収納物品に最適に、かつ複数種を併用する選択が容易に可能であり、以上、換気収納庫１２の性能はさらに優れたものになる。
【００９７】
（実施の形態２）
図６は本発明の実施の形態２における換気収納庫の正面概略図、図７は本実施の形態における換気装置および収納部の縦断面図、図８は本実施の形態における換気装置および収納部の要部水平断面図である。
【００９８】
実施の形態１との相違点は、換気装置４１をキャビネット４２の足元蹴込み部位に備え、複数の収納部１５同士を空気連通する空気接続手段は、第１、第２のキャビネット４１ａ、４１ｂの足元蹴込み部位の空洞空間と、収納部１５そのもので構成することと、脱臭手段および調質媒体の添加手段を備えていないことである。
【００９９】
第１、第２のキャビネット４２ａ、４２ｂは共に、前面側に閉塞開放可能な扉体４２ｃをヒンジ４２ｄで開閉自在に軸支し、側板４２ｅ、底板４２ｆ、後板４２ｇとキャビネット４２ａ、４２ｂ上部に接して固定設置したカウンタ−１１ａとで略立方空間を形成して、収納部１５を閉塞空間とし、さらに収納部１５の内部には、物品を載置する棚４２ｈを備えて、それぞれ第１、第２の収納部１５ａ、１５ｂとして構成されている。
【０１００】
また、キャビネット４２ａ、４２ｂそれぞれの左右両方の側板４２ｅの上部後方と、それぞれの底板４２ｆ後方とには空気連通用の開口を設け、キャビネット４２ａの底板４２ｆ後方の開口は排出開口４３、側板の開口は給気開口４４として、またキャビネット４２ｂの底板４２ｆ後方の開口は給気開口４４、側板の開口は排出開口４３として構成している。
【０１０１】
また、キャビネット４２ａ、４２ｂそれぞれの側板４２ｅの下方には、キャビネット底板４２ｆと床面１１ｄと後板４２ｇ、および蹴込み板４２ｉもしくは換気装置４１の前面パネル４１ａにより形成される蹴込み空間４２ｊに開放された接続開口４５をそれぞれのキャビネット４２ａ、４２ｂの左右両方の側板４２ｅに設けている。
【０１０２】
一方、第１のキャビネット４２ａの底板４２ｆと床面１１ｄとの間に組み込まれた換気装置４１は、実施の形態１に比して、脱臭手段および調質媒体の添加手段を省略している点を除き、送風機能的に同一の構成を備えている。
【０１０３】
換気装置４１は、前面側の操作パネル４１ａには、発明の実施の形態１と同じく吸気口１７、排気口１８、運転スイッチ１９、人体検知手段２０を備えて、隣接する収納庫の蹴込み板４２ｉと略同一面にて蹴込み空間４２ｊを閉塞して取り付けされ、換気装置４１の後方には、換気装置４１の上部に備えた第１の収納部１５ａに向けて開放し排出開口４３と連通した捕集口２１と、第１のキャビネット４２ａの蹴込み空間４２ｊに向けて開放した供給口２２を備え、実施の形態１と同じく捕集区画２１ａ、供給区画２２ａ、吸気区画１７ａ、排気区画１８ａの４区画と、捕集開閉手段と供給開閉手段を一体化した連動風路開閉手段４６、送風機２４を含む風路を形成するとともに、制御手段２８を備えて構成される。
【０１０４】
また、扉体４２ｃの開閉により収納部１５の閉塞開放を検知する開閉検知手段２７も、キャビネット４２ａ、４２ｂ両方の底板４２ｆの上面前端側に磁気スイッチ２７ａ、扉体４２ｃの裏面に磁石２７ｂをそれぞれ備えて構成される。
【０１０５】
なお、実施の形態１と同一の符号のものは、同一構造を有し、説明は省略する。
【０１０６】
以上のように構成された換気収納庫について、以下その動作、作用を説明する。
【０１０７】
発明の実施の形態１と異なる点は、脱臭手段２５および添加手段２６が省略されたことにより、通常換気モ−ドの内、調質媒体の添加モ−ドがなく、脱臭手段２５の活性化モ−ドも必然的に実行されないこと、収納部開放モ−ドと人体検知モ−ドにおける換気装置４１の運転方法である。
【０１０８】
送風機２４が運転される通常換気モ−ドにおいては、連動風路開閉手段４６の回動式弁体２３ａは、吸気区画１７ａと供給区画２２ａ、捕集区画２１ａと排気区画１８ａをそれぞれ空気連通する位置（図示イ位置）に定位し、吸気口１７から導入された室内新鮮空気は、各図の矢印（Ｆ）に示すように、供給口２２を経て、第１のキャビネット４２ａの蹴込み空間４２ｊを通過し、第１、第２のキャビネット４２ａ、４２ｂの接続開口４５を貫通し、第２のキャビネット４２ｂの給気開口４４から、収納部１５ｂに入り、収納部１５ｂ上部の側板４２ｅの排出開口４３および第１のキャビネット４１ａの給気開口４４から、第１の収納部１５ａを経由して、第１のキャビネット４２ａの底板４２ｆに開口した排出開口４３すなわち換気装置４１の捕集口２１に導入され、排気口１８から室内に排出される。
【０１０９】
この送風換気により、収納部１５の臭いあるいは熱のこもりを抑制し、例えば、根菜等の食品であれば、微量の換気をおこなうことにより、蒸れを防ぎ鮮度保持がなされる効果を提供する。
【０１１０】
送風機２４が停止する停止モ−ドは、連動風路開閉手段４６が、吸気区画１７ａと排気区画１８ａ、捕集区画２１ａと供給区画２２ａをそれぞれ連通させる風路（図示ウ位置）を形成することで、結果的に収納部１５ａ、１５ｂが密閉閉塞状態となる。
【０１１１】
開閉検知モ−ドについては、本実施の形態は、各収納部１５ａ、１５ｂに対する送風換気機能のみを供するので、開閉検知と同時に送風機２４、連動風路開閉手段４６ともに停止モ−ドになる。
【０１１２】
また、人体検知モ−ドについては、実施の形態１と同様に、人の接近を検知して収納部１５の収納物品の取り出し予測がおこなわれる場合について、送風機２４を一時的に連続運転させ、人が居ない場合もしくは人の居る頻度を検出して、換気装置４１の間欠運転時間を可変とする制御をおこなう。
【０１１３】
さらに、本実施の形態は、換気装置４１を床面１１ｄ近傍に配置しているが、キャビネット４２が高背型である場合などは、換気装置４１をキャビネット４２の天面と室内天井との間の空間を利用して組み込むことも可能であり、いずれの場合も換気装置４１からの排気は、直接使用者の上半身等を避けて排出されるので、排気風あるいは運転音を不快に感じることなく換気収納庫の取扱快適性は優れており、また物品の出し入れ収納性に劣る部位を換気装置４１の組み込み空間とすることで、収納部１５の容積を最大限に用いることが可能であり、より好適である。
【０１１４】
また、換気送風路として、キャビネット４２の足元蹴込み空間４２ｊを利用しており、部品点数の削減、設置工事の簡易化に効奏するものであり、足元蹴込み空間４２ｊ以外でも、高背タイプのキャビネットの天面と室内天井との間の空間を用いて、換気装置４１と換気送風路を組み込んでも同じ効果を提供する。
【０１１５】
また、本実施の形態では、換気装置４１を備えた第１のキャビネット４２ａの右側のみに第２のキャビネット４２ｂを配置したが、排出開口４３、給気開口４４、接続開口４５のいずれもが、キャビネット４２ａ、４２ｂの左右両側に設けられているので、左側もしくは左右両側に、本実施の形態と同一の第２のキャビネット４２ｂを配置しても、本実施の形態と同一の動作が得られ、足元蹴込み空間４２ｊから供給された外気が、第２の収納部１５ｂを経由して第１の収納部１５ａに導入され、換気装置４１により捕集されることにより、換気機能は同じく提供される。
【０１１６】
前記の不使用となり開放されて残る排出開口４３、給気開口４４、接続開口４５は、隣接する他の収納庫等で必然的に閉塞され、複数のキャビネット４２ａ、４２ｂは構造が簡標準化され好適である。
【０１１７】
さらには、本実施の形態の構成にあって、脱臭手段あるいは調質媒体の添加手段を、実施の形態１と同様の部位に具備することについては、複数の収納部１５ａと１５ｂの換気機能について何等の支障はない。
【０１１８】
以上の様に、いずれの実施の形態にあっても、本発明の換気装置は屋外に排気を行うダクトが不要のため、設置場所の制約を受けることがなく、室内の何処にでも設置可能なものである。
【０１１９】
また、いずれの実施の形態も、風路切替手段２３あるいは連動風路開閉手段４６は回動式弁体２３ａとステッピングモ−タ２３ｂによる回転動作式としたが、電磁ソレノイドと復元バネを組み合わせ、弁体を作動位置と復帰位置の間での往復動作方式とするとも可能であり、この方式によれば、例えば停電時など電源が断たれた場合にでも、弁体は、臭気を遮断する位置に復元バネにより定位させることが可能であり、より好適な構成となる。
【０１２０】
さらに、いずれの実施の形態も、換気装置１４内の捕集開閉手段２１ｂや供給開閉手段２２ｂおよび風路切替手段２３を、回動式弁体２３ａとステッピングモ−タ２３ｂにより単一構成とし、換気装置１４の構造簡素化、コストダウンに効奏しているが、捕集口２１、供給口２２、吸気口１７、排気口１８各々に閉塞開放自在な電磁弁体を設け、制御手段２８により風路切替をおこなうことも可能である。
【産業上の利用可能性】
【０１２１】
以上のように、本発明にかかる換気装置および収納部は、脱臭手段は脱臭作用に使用される毎に必ず活性化されるため、脱臭手段は長期間に亘り脱臭機能を維持することが可能となり、また複数の収納部に換気および排気の脱臭ならびに、収納物に対する調質媒体の添加ができるので、家庭用食品収納に限らず、医療用、産業用の収納装置などの用途にも適用できる。
【図面の簡単な説明】
【０１２２】
【図１】本発明の実施の形態１における換気収納庫の正面図
【図２】本発明の実施の形態１における換気収納庫の縦断面図
【図３】本発明の実施の形態１における換気収納庫の横断面図
【図４】本発明の実施の形態１における換気収納庫の要部斜視図
【図５】本発明の実施の形態１における換気収納庫の要部分解斜視図
【図６】本発明の実施の形態２における換気収納庫の正面図
【図７】本発明の実施の形態２における換気収納庫の縦断面図
【図８】本発明の実施の形態２における換気収納庫の横断面図
【図９】従来の換気収納庫の断面図
【符号の説明】
【０１２３】
１２  換気収納庫
１４、４１  換気装置
１５  収納部
１６  蓋部材
１７  吸気口
１８  排気口
２０  人体検知手段
２１  捕集口
２２  供給口
２３  風路切替手段
２４  送風機
２５  脱臭手段
２６  添加手段
２７  開閉検知手段
２８  制御手段
３２  ダクト部材
３３  端末封止具
【図１】
2006075484.tif 000003
【図２】
2006075484.tif 000004
【図３】
2006075484.tif 000005
【図４】
2006075484.tif 000006
【図５】
2006075484.tif 000007
【図６】
2006075484.tif 000008
【図７】
2006075484.tif 000009
【図８】
2006075484.tif 000010
【図９】
2006075484.tif 000011